(57)【要約】【課題】  手に持って振ることにより複数の音を連続的に出力することができる電子機器を提供する。【解決手段】  先行する音の出力期間中に、検知手段で所定の閾値よりも大きな加速度を検知したとき、先行する音の出力に続けて後続の音を出力するように、音出力手段を制御する。音出力手段は、予め設定した所定長さの音単位ごとに音を出力可能に構成され、第１の音の出力期間中に所定の閾値よりも大きな加速度を検知したとき、第１の音とは種類が異なる第２の音を、第１の音の出力に続けて連続的に出力するように制御してもよい。第２の音の出力期間中に所定の閾値よりも大きな加速度を検知したとき、先行する第２の音の出力に続けて第２の音を再出力するように制御してもよい。【選択図】  図４
2007184834.tif 000002
【特許請求の範囲】
【請求項１】
携帯型の電子機器であって、
音を出力する音出力手段と、
該電子機器の加速度を検知する検知手段と、
先行する音の出力期間中に、該検知手段で所定の閾値よりも大きな加速度を検知したとき、該先行する音の出力に続けて後続の音を出力するように、該音出力手段を制御する制御手段とを備えたことを特徴とする電子機器。
【請求項２】
請求項１の電子機器において、
上記音出力手段は、予め設定した所定長さの音単位ごとに音を出力可能に構成され、
上記制御手段は、第１の音の出力期間中に、上記検知手段で所定の閾値よりも大きな加速度を検知したとき、該第１の音とは種類が異なる第２の音を、該第１の音の出力に続けて連続的に出力するように制御することを特徴とする電子機器。
【請求項３】
請求項２の電子機器において、
上記制御手段は、上記第２の音の出力期間中に、上記検知手段で所定の閾値よりも大きな加速度を検知したとき、先行する該第２の音の出力に続けて該第２の音を再出力するように制御することを特徴とする電子機器。
【請求項４】
請求項１、２又は３の電子機器において、
上記出力対象の音の組み合わせが互いに異なる複数種類の動作モードを有し、
該複数種類の動作モードのいずれかを選択するための動作モード選択手段を備え、
上記制御手段は、該動作モード選択手段で選択された動作モードに対応する音を出力するように制御することを特徴とする電子機器。
【発明の詳細な説明】
【技術分野】
【０００１】
本発明は、通信ネットワークを介して通信可能な携帯電話機等の携帯型の電子機器に関するものである。
【背景技術】
【０００２】
従来、この種の電子機器として、手に持って振ると音が発生する携帯電話機が知られている。この携帯電話機では、利用者が手に持って振ったときの加速度を加速度センサで検知し、この加速度の検知結果に基づいて音を発生する。
【発明の開示】
【発明が解決しようとする課題】
【０００３】
しかしながら、上記従来の携帯電話機では、手に持って振るたびに音を単発的に出力することはできるが、複数の音を連続的に出力することができなかった。
【０００４】
本発明は以上の問題点に鑑みなされたものであり、その目的は、手に持って振ることにより複数の音を連続的に出力することができる電子機器を提供することである。
【課題を解決するための手段】
【０００５】
上記目的を達成するために、請求項１の発明は、携帯型の電子機器であって、音を出力する音出力手段と、該電子機器の加速度を検知する検知手段と、先行する音の出力期間中に、該検知手段で所定の閾値よりも大きな加速度を検知したとき、該先行する音の出力に続けて後続の音を出力するように、該音出力手段を制御する制御手段とを備えたことを特徴とするものである。
この電子機器では、先行する音の出力期間中に利用者が手に持って振ることにより、所定の閾値よりも大きな加速度を発生させると、この加速度が検知手段で検知される。このように先行する音の出力期間中に上記所定の加速度が検知手段で検知されると、上記先行する音の出力に続けて後続の音が出力される。
なお、上記先行する音は、上記検知手段による加速度の検知結果に基づいて開始したものであってもよい。
【０００６】
また、請求項２の発明は、請求項１の電子機器において、上記音出力手段は、予め設定した所定長さの音単位ごとに音を出力可能に構成され、上記制御手段は、第１の音の出力期間中に、上記検知手段で所定の閾値よりも大きな加速度を検知したとき、該第１の音とは種類が異なる第２の音を、該第１の音の出力に続けて連続的に出力するように制御することを特徴とするものである。
この電子機器では、先行する第１の音の出力期間中に利用者が手に持って振ることにより、所定の閾値よりも大きな加速度が検知手段で検知されると、第１の音とは種類が異なる第２の音が、上記先行する第１の音の出力に続けて出力される。
【０００７】
また、請求項３の発明は、請求項２の電子機器において、上記制御手段は、上記第２の音の出力期間中に、上記検知手段で所定の閾値よりも大きな加速度を検知したとき、先行する該第２の音の出力に続けて該第２の音を再出力するように制御することを特徴とするものである。
この電子機器では、上記第１の音に続けて出力している第２の音の出力期間中に、利用者が手に持って振ることにより、所定の閾値よりも大きな加速度が検知手段で検知されると、先行する第２の音の出力に続けて、その第２の音が再出力される。
【０００８】
また、請求項４の発明は、請求項１、２又は３の電子機器において、上記出力対象の音の組み合わせが互いに異なる複数種類の動作モードを有し、該複数種類の動作モードのいずれかを選択するための動作モード選択手段を備え、上記制御手段は、該動作モード選択手段で選択された動作モードに対応させて、出力対象の音の組み合わせを設定することを特徴とするものである。
この電子機器では、利用者が動作モード選択手段で複数種類の動作モードのいずれかを選択すると、その選択された動作モードに対応するように、出力対象の音の組み合わせが設定される。
【０００９】
なお、上記「電子機器」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機等が挙げられる。また、この「電子機器」としては、上記電話機のほか、電話機能を有しないＰＤＡ（Personal Digital Assistance）等の電子機器も挙げられる。
また、上記電子機器における制御手段による制御は、その電子機器に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行ってもいいし、コンピュータネットワーク等の通信ネットワークを用いて行ってもよい。
【発明の効果】
【００１０】
請求項１乃至４の発明によれば、先行する音の出力期間中に利用者が電子機器を手に持って振ることにより、上記先行する音の出力に続けて後続の音が出力されるので、複数の音を連続的に出力することができるという効果がある。
特に、請求項２の発明によれば、互いに種類が異なる第１の音と第２の音とを連続的に出力することができるという効果がある。
特に、請求項３の発明によれば、上記第１の音が出力された後、上記第２の音を複数回連続的に出力することができるという効果がある。
特に、請求項４の発明によれば、利用者が選択する動作モードに応じて出力対象の音の組み合わせを変えることができるという効果がある。
【発明を実施するための最良の形態】
【００１１】
以下、本発明の一実施形態を、図面を参照しながら説明する。
図１は、本実施形態に係る携帯型の電子機器としての携帯電話機２０の外観を示す正面図である。図２は、その携帯電話機２０の概略構成を示すブロック図である。この携帯電話機２０は、主制御部２１１、データ記憶部２１２、無線通信部２１３、操作部２１４、表示部２１５、検知部２１６及び音出力部２１７を備えている。また、携帯電話機２０には、例えばＲＴＣ（リアルタイムクロック）で構成された時計部２１８も備えている。
【００１２】
上記主制御部２１１は、システムバス、ＣＰＵ、ＲＡＭ、ＲＯＭ等で構成され、ＯＳ（オペレーション・システム）やアプリケーションプログラムに基づいて各種データ処理を行ったり各部を制御したりする。この主制御部２１１は、音出力部２１７で出力している先行する音の出力期間中に、検知部２１６で所定の閾値よりも大きな加速度を検知したとき、上記先行する音の出力に続けて連続的に後続の音を出力するように、音出力部２１７を制御する制御手段としても用いられる。
【００１３】
上記データ記憶部２１２は携帯電話機内に設けた内部メモリとしてのＲＡＭ等で構成され、アドレス帳データ、メールデータ、画像ファイル、再生可能な音楽データとしての音楽ファイル、各種設定データ等の携帯電話機で使用する各種データを記憶する。また、データ記憶部２１２は、携帯電話機２０を振ったときに出力する所定長さの音声、効果音等の音データを記憶するデータ記憶手段としても用いられる。これらの音声や効果音等の出力音の長さは利用者が認識可能な長さ程度に設定されている。例えば、１００ミリ秒〜１０秒の範囲内の長さに設定される。これらの所定長さの音が単独で又は複数組み合わされて出力される。なお、データ記憶部２１２は、携帯電話機本体に着脱可能な外部記憶媒体としてのメモリーカード等で構成してもよい。
【００１４】
上記無線通信部２１３は、通信ネットワークとしての携帯電話通信網１０を介して他の携帯電話機との間で音声通信やメール通信を行ったり通信ネットワーク上のサーバとの間でデータ通信を行ったりするために、携帯電話通信網１０の基地局と無線通信を行うものである。
【００１５】
上記操作部２１４は、データ入力キー（テンキー、＊キー、＃キー）２１、通話開始キー２２ａ、終話キー２２ｂ、スクロールキー２４、多機能キー２３ａ，２３ｂ，２５、マイク２６などから構成されている。この操作部２１４は、出力対象の音の組み合わせが互いに異なる複数種類の動作モードのいずれかを利用者が選択する動作モード選択手段としても用いられる。この場合、主制御部２１１は、操作部２１４が操作されていずれかの動作モードが選択されたときに、その選択された動作モードに予め設定されている音の組み合わせを採用する。そして、その動作モードに対応する所定の組み合わせの音を、携帯電話機２０を振ったときに出力するように制御する。
なお、本携帯電話機２０における入力手段としては、上記操作部２１４のほか、音信号入力手段としてのマイク２６も備えている。
【００１６】
上記表示部２１５は液晶ディスプレイ（ＬＣＤ）２７や描画データ処理部等で構成され、各種画像を表示することができる。この表示部２１５は、待受け画面、メニュー画面、メール画面、ＷＥＢ閲覧画面、各種設定画面などを表示することができる。
【００１７】
上記検知部２１６は、携帯電話機２０に生じる姿勢や加速度を検知する検知手段として用いられる。この検知部２１６は、例えば、２軸の加速度センサ、センサ駆動回路、検知信号処理回路（フィルター回路、Ａ／Ｄ変換器）等で構成される。加速度センサは、キー２１等が設けられた操作面に対して平行な面内で互いに直交する２方向（図１中、Ｘ軸方向及びＹ軸方向）に向かう加速度αＸ，αＹを検出する。上記加速度センサは、携帯電話機２０の内部に設けられた図示しない回路基板上に実装されている。この加速度センサとしては、上記加速度αＸ，αＹを検出できる公知のものを用いることができる。また、この２軸の加速度センサに代えて、互いに直交する３方向（図１中、Ｘ軸方向、Ｙ軸方向及びＺ軸方向）の加速度αＸ，αＹ，αＺを検出する３軸の加速度センサを用いてもよい。
【００１８】
上記検知部２１６は、利用者が携帯電話機２０を振ったときに生じる加速度（比較的短周期で変化する動的な加速度）や、携帯電話機２０が重力によって自由落下するときの重力加速度（比較的長周期で変化する静的な加速度）を検知することができる。
【００１９】
ここで、検知部２１６の出力は任意にオフセットを設定することができる。本実施形態では、携帯電話機２０が静止しているときに重力加速度１ｇ［ｍ／sec２］に対応する信号を出力し、携帯電話機２０が自由落下しているときに０［ｍ／sec２］に対応する信号を出力するように設定している。この出力のオフセットは、携帯電話機２０が静止しているときに０［ｍ／sec２］に対応する値を出力し、携帯電話機２０が自由落下しているときに１ｇ［ｍ／sec２］に対応する信号を出力するように設定してもよい。
【００２０】
上記２種類の加速度（静的な加速度、動的な加速度）は、所定のカットオフ周波数特性を有するフィルターで分離することができる。例えば、上記静的な加速度（重力加速度）は、加速度センサの出力信号をローパスフィルタに通すことにより分離することができる。一方、上記動的な加速度（衝撃を与えたときの加速度）は、加速度センサの出力信号をハイパスフィルタや高周波数域側のバンドパスフィルタに通すことにより分離することができる。この動的な加速度（衝撃を与えたときの加速度）は、加速度センサの出力を上記フィルターを通さないで検知してもよい。
【００２１】
なお、上記アラーム動作に振動（バイブレーション）を発生させるような設定が可能な場合には、そのアラーム動作による振動による加速度変化と、アラーム停止のために利用者が携帯電話機に衝撃を与えたときの加速度変化とを区別できるように、アラーム停止操作を検知するための加速度の閾値や周波数帯域（フィルター特性）を適正に設定する。
【００２２】
上記検知部２１６によって所定のサンプリング間隔で検知された加速度のデータはディジタルデータとして主制御部２１１に渡される。
【００２３】
また、上記検知部２１６は、上記加速度センサに加えて、地磁気センサを用いるように構成してもよい。この地磁気センサは、上記Ｘ軸及び上記Ｙ軸並びにこれらの軸に直交するＺ軸からなる３次元座標上における地磁気の磁界強度成分又は磁束密度成分を検知する３軸のセンサである。この地磁気センサの検知結果を利用して、Ｘ軸、Ｙ軸及びＺ軸のまわりの角度θX，θY，θZを検出する。具体的には、地磁気の方向が、基準となる地磁気の方向（基準方向）に対して変化したときの変化量を、Ｘ軸、Ｙ軸及びＺ軸のまわりの角度θX，θY，θZを用いて検出する。これにより、地磁気の方向が基準方向にあるときの姿勢から携帯電話機２０がその姿勢を変化させたとき、その変化後の姿勢を各角度θX，θY，θZによって特定することができる。以下、上記Ｘ軸θXのまわりの角度を「ピッチ角」、上記Ｙ軸のまわりの角度θYを「ロール角」、上記Ｚ軸のまわりの角度θZを「ヨー角」と呼ぶ。
なお、上記ピッチ角θX、ロール角θY及びヨー角θZは、地磁気センサの検知データのみを用いて算出してもいいし、地磁気センサ検知データと加速度センサの検知データの両方を用いて算出してもよい。
【００２４】
上記音出力部２１７はスピーカ２８等で構成され、音声通話時の音声を出力する手段として用いられるほか、データ記憶部２１２に記憶されているデータに基づいて、音声、効果音、音楽等を出力する音出力手段としても用いられる。この音出力部２１７は、通話中の音声を聞くための受話器用スピーカ（レシーバ）としてスピーカ２８を用い、この音声通話用のスピーカ２８とは別に、上記アラーム音や音楽を出力する外部出力用スピーカを設けるように構成してもよい。
【００２５】
なお、出力手段としては、ＬＥＤ（発光ダイオード）等の発光素子を用いて光を発する発光部を設けてもよい。この発光部は、複数色の光を切り換えて出力できるように構成してもよい。
【００２６】
上記音声、効果音、音楽等の音や上記光は、上記音出力部２１７や発光部を主制御部２１１で制御することにより、例えば利用者が携帯電話機２０を所定方向に所定の強さで振ったタイミングで出力することができる。
【００２７】
上記時計部２１８は、現在の年月日及び時刻を計時し、発生した時刻データを主制御部２１１に渡す。
【００２８】
図３は、携帯電話機２０を振ったときの検知部２１６の出力変化の一例を示すグラフである。図４は、携帯電話機２０を振って音を出力するときの一制御例を示すフローチャートである。図３において、太線は図１のＸ方向の加速度αXの出力を示し、細線は図１のＹ方向の加速度αYの出力を示している。また、各加速度αX，αYについて、正の方向の閾値Ａと負の方向の閾値Ｂとが設けられている。
【００２９】
まず、携帯電話機２０を用いた音出力に先立って、利用者は携帯電話機２０を操作することにより、所定の音出力設定画面上で、携帯電話機を振ったときに出力される音の種類を設定しておく。この設定は、互いに異なるテーマやキャラクター等に応じて予め登録されている複数種類の動作モードのいずれかを選択することによって行ってもよい。各動作モードは、動作モードに対応するテーマやキャラクター等に応じて出力音の組み合わせが設定されている。また、上記出力音の種類のほか、各音の出力期間において携帯電話機２０の加速度が検知される期間（以下「検知期間」という。）の長さや、隣合う音出力期間の間隔すなわち音出力休止期間（以下「音出力インターバル」という。）も設定できるようにしてもよい。この設定によって、利用者は携帯電話機２０をどのタイミングで振るべきか、あるいは各音がどのような間隔で出力されるかを把握した上で、携帯電話機２０を操作することが可能となる。さらに、上記検知期間の長さに関する設定状況は、携帯電話機２０の表示部２１５上にカウントダウン型のタイマーのような形で表示されてもよい。この場合は、利用者は加速度の検知が始まるまでの時間まであと何秒あるか、検知期間があと何秒続くかを視覚的に把握することができる。
【００３０】
表１は、本制御例で出力対象の音として設定されている２種類のパターンＡ及びパターンＢの内容を示している。パターンＡの音の再生時間（出力期間）は１．２秒であり、後続のパターンＢの音を出力するかを判定するための加速度の検知期間Ａは０．６秒である。この検知期間Ａは、パターンＡの音出力期間の後半部分に設定されている。また、パターンＡの音出力期間の終了時点から後続のパターンＢの音出力開始時点までのインターバルは０秒に設定されている。このパターンＡの音のファイルは「Sound_A.smf」というファイル名でメモリに保存されている。一方、パターンＢの音の再生時間（出力期間）は１．０秒であり、後続のパターンＢの音を出力するかを判定するための加速度を検知する検知期間Ｂは０．３秒である。この検知期間Ｂは、上記検知時間Ａの場合と同様に、パターンＢの音出力期間の後半部分に設定されている。また、パターンＢの音出力期間の終了時点から後続のパターンＢの音出力開始時点までのインターバルは０秒に設定されている。このパターンＢの音のファイルは「Sound_B.smf」というファイル名でメモリに保存されている。なお、音データのファイルは、本例のsmfファイルに限定されるものではなく、その携帯電話機で呼び出して出力可能なものであれば、他のデータ形式のファイルであってもよい。
【００３１】
【表１】
2007184834.tif 000003
【００３２】
図４の制御例において、上記設定を行った後、利用者が携帯電話機２０を操作することにより、加速度の検知による携帯電話機２０の振り操作の監視を開始する（Ｓ１０１）。そして、主制御部２１１は、検知部２１６で検知した加速度の大きさが、予め設定した閾値Ａ，Ｂを下回る状態が続いた後、図３の符号Ｐ１に示すように閾値Ａ，Ｂ以上になったことを検知すると（Ｓ１０２）、パターンＡの音出力を開始するように制御する（Ｓ１０３）。
【００３３】
次に、主制御部２１１は、パターンＡの音の出力期間の後半部分に設定されて検知期間Ａ内で、検知部２１６で検知した加速度の大きさが閾値Ａ，Ｂ以上になったか否かを判断する（Ｓ１０４）。ここで、検知期間Ａ内において閾値Ａ，Ｂ以上の加速度を検知しなかった場合（Ｓ１０４でＮｏ）は、後続のパターンＢの音出力を行わずにパターンＡの音出力を終了する（Ｓ１０５）。一方、上記検知期間Ａ内において閾値Ａ，Ｂ以上の加速度を検知した場合（Ｓ１０４でＹｅｓ）は、パターンＡの音出力を終了するとともに（Ｓ１０６）、パターンＢの音出力を開始する（Ｓ１０７）。
【００３４】
次に、制御部２１１は、上記パターンＢの音の出力期間の後半部分に設定されて検知期間Ｂ内で、検知部２１６で検知した加速度の大きさが閾値Ａ，Ｂ以上になったか否かを判断する（Ｓ１０８）。ここで、検知期間Ｂ内において閾値Ａ，Ｂ以上の加速度を検知した場合（Ｓ１０８でＹｅｓ）は、パターンＢの音出力を一旦終了する（Ｓ１０９）とともに、同じパターンＢの音出力を続けて開始する（Ｓ１０７）。このように携帯電話機２０の振り操作を繰り返すと、パターンＡの音出力の後、パターンＢの音出力を複数回繰り返すことができる（Ｓ１０７〜Ｓ１０９）。例えば、パターンＡの音が音声「あ」であり、パターンＢの音が音声「た」である場合、携帯電話機２０を連続して振ることにより、「あたたた・・・」という連続的な音声を出力することができる。このような音出力制御により、例えばカラオケを行っているときに曲に合わせて携帯電話機２０を振ることにより、曲に合わせた効果的なリズム音や合いの手の音を挿入することができる。
【００３５】
一方、上記検知期間Ｂ内において閾値Ａ，Ｂ以上の加速度を検知しなかった場合（Ｓ１０８でＮｏ）は、後続のパターンＢの音出力を行わずにパターンＢの音出力を一旦終了する（Ｓ１１０）。
【００３６】
次に、主制御部２１１は、音出力のための携帯電話機２０の振り操作の監視を終了するか否かの判断を行う（Ｓ１１１）。ここで、主操作部２１１は、操作部２１４のキー操作などによって振り操作監視の終了が指示された判断する（Ｓ１１１でＹｅｓ）と、加速度の検知による携帯電話機２０の振り操作の監視を終了する。一方、主制御部１１１は、振り操作監視の終了が指示されなかったと判断する（Ｓ１１１でＮｏ）と、加速度の検知による携帯電話機２０の振り操作の監視を継続するように制御する。
【００３７】
以上、本実施形態によれば、先行するパターンＡの音出力期間中に利用者が携帯電話機２０を手に持って振ることにより、上記先行するパターンＡの音出力に続けて後続のパターンＢの音が出力されるので、複数の音Ａ，Ｂを連続的に切れ目なく出力することができる。更に、上記パターンＢの音出力期間中に利用者が携帯電話機２０を手に持って振ることにより、上記パターンＢの音出力に続けて同じパターンＢの音が続けて出力されるので、複数のパターンＢの音を連続的に切れ目なく出力することができる。
【００３８】
なお、上記音の出力制御は、図３、図４及び表１に記載した制御に限定されるものではなく、携帯電話機２０の加速度の検知結果に基づいて、先行する音の出力に続けて後続の音を出力するように制御するものであれば、任意に変形可能である。
例えば、携帯電話機２０の加速度を検知する検知時間Ｔｓの長さと、その加速度の検知開始タイミング間の間隔（周期）である検知インターバルＴｐとを予め設定し、その設定に基づいて図５のように複数の個別音を連続的に出力するように制御してもよい。図５の例では、音出力の開始タイミングと加速度の検知開始タイミングとが一致し、その音出力は、次の加速度検知を開始するまで、すなわち次の音出力が開始されるまで継続する。また、この制御例における設定では、例えば、前者の加速度を検知する検知時間を５秒、１０秒などと設定することができ、後者の加速度の検知インターバルを５秒ごと、１０秒ごとなどと設定することができる。そして、前者の検知時間Ｔｓと後者の検知インターバルＴｐを組み合わせることで、例えば１０秒ごとに加速度検知（音出力）が始まり、その加速度検知は５秒間行われる、といった設定が可能になる。この設定によって、利用者は携帯電話機２０をどのタイミングで、あるいは何秒間振るべきか把握した上で携帯電話機２０を操作することが可能となる。さらに、上記検知時間Ｔｓの長さや検知インターバルＴｐに関する設定状況は、携帯電話機の表示部２１５上にカウントダウン型のタイマーのような形で表示されてもよい。この場合は、利用者は検知が始まるまでの時間まであと何秒あるか、検知時間があと何秒続くかを視覚的に秒単位で把握することができる。
【００３９】
また、本発明は、携帯電話機のほか、ＰＨＳ、自動車電話機等の電話機、携帯型のＰＤＡなど、他の携帯型の電子機器についても適用でき、同様な効果が得られるものである。
【図面の簡単な説明】
【００４０】
【図１】本発明の一実施形態に係る携帯電話機の外観を示す正面図。
【図２】携帯電話機の概略構成を示すブロック図。
【図３】携帯電話機に生じた加速度の検知結果の一例を示すグラフ。
【図４】携帯電話機の振り操作時における音出力の一制御例を示すフローチャート。
【図５】他の実施形態に係る加速度の検知時間Ｔｓと検知インターバルＴｐとの関係を示す説明図。
【符号の説明】
【００４１】
１０    携帯電話通信網
２０    携帯電話機
２１１  主制御部
２１２  データ記憶部
２１３  無線通信部
２１４  操作部
２１５  表示部
２１６  検知部
２１７  音出力部
２１８  時計部
【図１】
2007184834.tif 000004
【図２】
2007184834.tif 000005
【図３】
2007184834.tif 000006
【図４】
2007184834.tif 000007
【図５】
2007184834.tif 000008